(57)【要約】【課題】光を用紙の画像に適切に照射し、用紙の画像の発色不良の発生を防ぎ、又は画像を所望の光沢にすることである。【解決手段】光照射装置３は、用紙に形成された画像の各画素に光を照射する光照射部３０と、画像の照射パターンに応じて、画像の各画素に照射する光の吸収光量に対応する照射情報としての積算光量を設定し、設定された照射情報に応じて、光照射部３０を制御して用紙の画像の各画素に光を照射させる制御部１１と、を備える。【選択図】図２
2020170100.tif 000002
【特許請求の範囲】
【請求項１】
用紙に形成された画像の各画素に光を照射する光照射手段と、
前記画像の照射パターンに応じて、前記画像の各画素に照射する光の吸収光量に対応する照射情報を設定する設定手段と、
前記設定された照射情報に応じて、前記光照射手段を制御して前記用紙の前記画像の各画素に光を照射させる制御手段と、を備える光照射装置。
【請求項２】
前記照射情報は、光の積算光量であり、
前記制御手段は、前記設定された積算光量に応じて、前記光照射手段の照射時間又は照度を制御して前記用紙の前記画像の各画素に光を照射させる請求項１に記載の光照射装置。
【請求項３】
前記設定手段は、前記照射パターンの標的画素の周囲に存在する照射画素の数が多いほど当該標的画素の吸収光量を小さくするように前記照射情報を設定する請求項１又は２に記載の光照射装置。
【請求項４】
前記設定手段は、前記照射パターンの照射画素と標的画素との間の距離が小さいほど当該標的画素の吸収光量を小さくするように前記照射情報を設定する請求項１から３のいずれか一項に記載の光照射装置。
【請求項５】
前記設定手段は、前記照射パターンの各画素に照射する順序に応じて当該各画素の前記照射情報を設定する請求項１から４のいずれか一項に記載の光照射装置。
【請求項６】
前記設定手段は、前記照射パターンの照射画素と標的画素との照射タイミングに応じて当該標的画素の前記照射情報を設定する請求項１から５のいずれか一項に記載の光照射装置。
【請求項７】
前記画像は、トナーの画像であり、
前記設定手段は、前記トナーの光吸収率に応じて、前記照射パターンの標的画素の光吸収率が大きいほど吸収光量を下げるように前記照射情報を設定する請求項１から６のいずれか一項に記載の光照射装置。
【請求項８】
前記光照射手段は、異なる波長の光を照射可能であり、
前記照射情報は、光の波長であり、
前記制御手段は、前記設定された波長に応じて、前記光照射手段の波長を制御して前記用紙の前記画像の各画素に光を照射させる請求項１から７のいずれか一項に記載の光照射装置。
【請求項９】
前記照射情報は、前記画像を前記用紙に定着するための照射情報であり、
前記制御手段は、前記設定された照射情報に応じて、前記光照射手段を制御して前記用紙の前記画像の各画素に光を照射させて当該用紙に当該画像を定着させる請求項１から８のいずれか一項に記載の光照射装置。
【請求項１０】
前記照射情報は、前記用紙に定着された前記画像を所定の光沢にするための照射情報であり、
前記制御手段は、前記設定された照射情報に応じて、前記光照射手段を制御して前記用紙の前記画像の各画素に光を照射させて当該画像を前記所定の光沢にする請求項１から８のいずれか一項に記載の光照射装置。
【請求項１１】
請求項１から１０のいずれか一項に記載の光照射装置と、
前記用紙に前記画像を形成する画像形成手段と、を備える画像形成装置。
【発明の詳細な説明】
【技術分野】
【０００１】
本発明は、光照射装置及び画像形成装置に関する。
【背景技術】
【０００２】
従来、電子写真方式の画像形成を行うＭＦＰ（Multifunction Peripheral：複合機）などの画像形成装置として、未定着トナー画像に露光し定着させる画像形成装置と、定着済トナー画像に露光し光沢を変える画像形成装置と、が知られている。
【０００３】
しかし、上記画像形成装置では、トナー画像の各画素に照射する光を制御することで、標的とする画素が、周囲の既に露光されて熱を持った画素からの伝熱によって、トナー画像が過剰に熱を持ってしまい、トナー画像の発色不良を引き起こすほか、狙い通りの画像光沢が得られなくなってしまうおそれがあった。
【０００４】
このため、伝熱を考慮し、孤立ドットのトナーは周囲への伝熱により温度が狙いよりも下がるため、画像に孤立ドットのトナー数が多いほど、トナー画像に照射する光の強度を上げることで、トナー画像を狙いの温度に保ち、定着性を確保する画像形成装置が知られている（特許文献１参照）。
【先行技術文献】
【特許文献】
【０００５】
【特許文献１】特開２０１３−１５６３０３号公報
【発明の概要】
【発明が解決しようとする課題】
【０００６】
しかし、特許文献１の画像形成装置では、標的画素の周囲に、いくつ照射される画素があるか、どれだけの強度で光を照射するか、どの順序で照射するか、どれくらいの照射間隔で標的画素に照射するかなどの照射パターンによって、周囲の照射されて熱を持った画素から標的画素に流入する熱量は変化するため、画像に応じての制御だけでは、トナー画像が所定の温度とならず、定着不良（定着による発色不良）を引き起こすほか、狙い通りの画像光沢が得られなくなってしまう。
【０００７】
本発明の課題は、光を用紙の画像に適切に照射し、用紙の画像の発色不良の発生を防ぎ、又は画像を所望の光沢にすることである。
【課題を解決するための手段】
【０００８】
上記課題を解決するため、請求項１に記載の発明の光照射装置は、
用紙に形成された画像の各画素に光を照射する光照射手段と、
前記画像の照射パターンに応じて、前記画像の各画素に照射する光の吸収光量に対応する照射情報を設定する設定手段と、
前記設定された照射情報に応じて、前記光照射手段を制御して前記用紙の前記画像の各画素に光を照射させる制御手段と、を備える。
【０００９】
請求項２に記載の発明は、請求項１に記載の光照射装置において、
前記照射情報は、光の積算光量であり、
前記制御手段は、前記設定された積算光量に応じて、前記光照射手段の照射時間又は照度を制御して前記用紙の前記画像の各画素に光を照射させる。
【００１０】
請求項３に記載の発明は、請求項１又は２に記載の光照射装置において、
前記設定手段は、前記照射パターンの標的画素の周囲に存在する照射画素の数が多いほど当該標的画素の吸収光量を小さくするように前記照射情報を設定する。
【００１１】
請求項４に記載の発明は、請求項１から３のいずれか一項に記載の光照射装置において、
前記設定手段は、前記照射パターンの照射画素と標的画素との間の距離が小さいほど当該標的画素の吸収光量を小さくするように前記照射情報を設定する。
【００１２】
請求項５に記載の発明は、請求項１から４のいずれか一項に記載の光照射装置において、
前記設定手段は、前記照射パターンの各画素に照射する順序に応じて当該各画素の前記照射情報を設定する。
【００１３】
請求項６に記載の発明は、請求項１から５のいずれか一項に記載の光照射装置において、
前記設定手段は、前記照射パターンの照射画素と標的画素との照射タイミングに応じて当該標的画素の前記照射情報を設定する。
【００１４】
請求項７に記載の発明は、請求項１から６のいずれか一項に記載の光照射装置において、
前記画像は、トナーの画像であり、
前記設定手段は、前記トナーの光吸収率に応じて、前記照射パターンの標的画素の光吸収率が大きいほど吸収光量を下げるように前記照射情報を設定する。
【００１５】
請求項８に記載の発明は、請求項１から７のいずれか一項に記載の光照射装置において、
前記光照射手段は、異なる波長の光を照射可能であり、
前記照射情報は、光の波長であり、
前記制御手段は、前記設定された波長に応じて、前記光照射手段の波長を制御して前記用紙の前記画像の各画素に光を照射させる。
【００１６】
請求項９に記載の発明は、請求項１から８のいずれか一項に記載の光照射装置において、
前記照射情報は、前記画像を前記用紙に定着するための照射情報であり、
前記制御手段は、前記設定された照射情報に応じて、前記光照射手段を制御して前記用紙の前記画像の各画素に光を照射させて当該用紙に当該画像を定着させる。
【００１７】
請求項１０に記載の発明は、請求項１から８のいずれか一項に記載の光照射装置において、
前記照射情報は、前記用紙に定着された前記画像を所定の光沢にするための照射情報であり、
前記制御手段は、前記設定された照射情報に応じて、前記光照射手段を制御して前記用紙の前記画像の各画素に光を照射させて当該画像を前記所定の光沢にする。
【００１８】
請求項１１に記載の発明の画像形成装置は、
請求項１から１０のいずれか一項に記載の光照射装置と、
前記用紙に前記画像を形成する画像形成手段と、を備える。
【発明の効果】
【００１９】
本発明によれば、光を用紙の画像に適切に照射でき、用紙の画像の発色不良の発生を防ぐことができ、又は画像を所望の光沢にすることができる。
【図面の簡単な説明】
【００２０】
【図１】本発明の実施の形態の画像形成装置の概略構成を示す図である。
【図２】本体ユニット及び後処理装置の機能構成を示すブロック図である。
【図３】（ａ）は、光照射部の上面図である。（ｂ）は、光照射部の前面図である。
【図４】画像形成処理を示すフローチャートである。
【図５】定着処理を示すフローチャートである。
【図６】標的画像の周囲に照射画素が存在しない照射パターンを示す図である。
【図７】標的画像の周囲に照射画素が１つ以上存在する照射パターンを示す図である。
【図８】標的画像の縦横又は斜め方向に照射画素が存在する照射パターンを示す図である。
【図９】照射順序が異なる照射パターンに対応する積算光量制御比率を示す図である。
【図１０】（ａ）は、上流側の照射画素に照射してから標的画素に照射する場合の照射画素が標的画素に隣接している照射パターンを示す図である。（ｂ）は、（ａ）におけるスキャン時間に対する標的画素想定温度及び照度を示す図である。
【図１１】（ａ）は、上流側の照射画素に照射してから標的画素に照射する場合の照射画素が標的画素に隣接していない照射パターンを示す図である。（ｂ）は、（ａ）におけるスキャン時間に対する標的画素想定温度及び照度を示す図である。
【図１２】（ａ）は、下流側の照射画素の照射を想定して標的画素に照射する場合の照射画素が標的画素に隣接している照射パターンを示す図である。（ｂ）は、（ａ）におけるスキャン時間に対する標的画素想定温度及び照度を示す図である。
【図１３】（ａ）は、下流側の照射画素の照射を想定して標的画素に照射する場合の照射画素が標的画素に隣接していない照射パターンを示す図である。（ｂ）は、（ａ）におけるスキャン時間に対する標的画素想定温度及び照度を示す図である。
【図１４】複数の光吸収率に対応する積算光量及び温度を示す図である。
【図１５】トナーに照射される光の波長に対するトナーが吸収する光量を示す図である。
【図１６】（ａ）は、上流側の照射画素に照射してから標的画素に照射する場合の照射画素が標的画素に隣接している照射パターンを示す図である。（ｂ）は、（ａ）におけるスキャン時間に対する標的画素想定温度及び吸収する光量を示す図である。
【図１７】第２の変形例の画像形成装置の概略構成を示す図である。
【発明を実施するための形態】
【００２１】
添付図面を参照して、本発明に係る実施の形態及び第１、第２の変形例を順に詳細に説明する。なお、本発明は、図示例に限定されるものではない。
【００２２】
（実施の形態）
図１〜図１４を参照して、本発明に係る実施の形態を説明する。まず、図１〜図３を参照して、本実施の形態の装置構成を説明する。図１は、本実施の形態の画像形成装置１の概略構成を示す図である。図２は、本体ユニット２００及び後処理装置３００の機能構成を示すブロック図である。図３（ａ）は、光照射部３０の上面図である。図３（ｂ）は、光照射部３０の前面図である。
【００２３】
本実施の形態の画像形成装置１の全体構成について説明する。画像形成装置１は、電子写真方式のカラーの画像形成を行うＭＦＰとするが、これに限定されるものではなく、白黒の画像形成を行うＭＦＰや、プリンターなど、他の画像形成装置であってもよい。図１に示すように、画像形成装置１は、給紙ユニット１００、本体ユニット２００及び後処理装置３００を備える。
【００２４】
給紙ユニット１００は、例えば各種大きさ又は紙種の用紙を収納する大容量の給紙トレイＴ１を複数備える。給紙ユニット１００は、本体ユニット２００により指示された種類の用紙を給紙トレイＴ１から取り出して本体ユニット２００へ用紙を搬送する。
【００２５】
本体ユニット２００は、複数の給紙トレイＴ２、画像読取部１７、画像形成部２０、光照射部３０などを有する。本体ユニット２００は、通信ネットワーク上の外部機器としてのＰＣ（Personal Computer）などからＰＤＬ（Page Description Language）データを受信し、当該ＰＤＬデータをラスタライズ処理してビットマップ形式の画像データを生成する。また、本体ユニット２００は、画像読取部１７により原稿用紙を読み取って画像処理して画像データを生成する。生成された画像データは、Ｃ（シアン）、Ｍ（マゼンタ）、Ｙ（イエロー）及びＫ（黒）の色ごとの画像データである。
【００２６】
本体ユニット２００は、画像形成部２０により、ＰＤＬデータから生成された画像データ又は画像読取部１７により生成された画像データに基づいて、給紙トレイＴ１又は給紙トレイＴ２から給紙された用紙上にトナー画像を形成し、光照射部３０により、当該用紙に画像を定着し、定着された用紙を後処理装置３００へ搬送する。後処理装置３００は、搬送された用紙に後処理を施し又は施さずにそのまま、排紙トレイＴ３に排紙する。後処理は必須ではなく、後処理装置３００は、本体ユニット２００から指示された場合のみ後処理を実行する。
【００２７】
ついで、本体ユニット２００の構成について説明する。図１及び図２に示すように、本体ユニット２００は、設定手段、制御手段としての制御部１１と、記憶部１２と、操作部１３と、表示部１４と、通信部１５と、給紙部１６と、画像読取部１７と、画像処理部１８と、画像メモリー１９と、画像形成手段としての画像形成部２０と、光照射手段としての光照射部３０と、用紙搬送部４０と、を備える。制御部１１及び光照射部３０は、光照射装置３として機能する。
【００２８】
制御部１１は、ＣＰＵ（Central Processing Unit）、ＲＡＭ（Random Access Memory）などを備える。制御部１１のＣＰＵは、記憶部１２に記憶されているプログラムを読み出してＲＡＭに展開し、展開された当該プログラムに従って画像形成装置１の各部を制御する。例えば、制御部１１は、通信部１５を介して外部から投入されたジョブの設定に従い、画像処理部１８にジョブの画像データを画像処理させ、給紙ユニット１００又は給紙部１６により用紙を給紙させ、画像形成部２０により用紙に画像を形成させ、光照射部３０により定着させる。また、制御部１１は、ジョブの設定に後処理の設定が含まれる場合、後処理装置３００に指示して後処理を行わせる。
【００２９】
記憶部１２は、制御部１１が読み取り可能なプログラム、ファイルなどを記憶している。記憶部１２としては、例えばハードディスク、フラッシュメモリーなどの不揮発性の読み出し及び書き込みが可能な記憶媒体を用いることができる。特に、記憶部１２は、後述する画像形成処理を行うための画像形成プログラムが記憶されているものとする。
【００３０】
操作部１３は、操作キーや表示部１４と一体に構成されたタッチパネルなどを備え、これらの操作に応じた操作信号を制御部１１に出力する。ユーザーは、操作部１３を介して、ジョブの設定、処理内容の設定、変更などの指示を入力することができる。
【００３１】
表示部１４は、ＬＣＤ（Liquid Crystal Display）などで構成され、制御部１１の指示に従って操作画面などの表示情報を表示する。通信部１５は、ネットワークカードなどにより構成され、ＬＡＮ（Local Area Network）などの通信ネットワークに接続され、通信ネットワーク上の外部機器と情報の送受信を行う。制御部１１は、通信部１５を介して、通信ネットワーク上の外部機器と通信を行う。
【００３２】
給紙部１６は、例えば各種サイズ又は紙種の用紙を収納する複数の給紙トレイＴ２を有し、制御部１１の指示に従って、指示された種類の用紙を給紙トレイＴ２から取り出して画像形成部２０へ搬送する。
【００３３】
画像読取部１７は、自動原稿搬送部、スキャナー部１７１、載置トレイ１７２、プラテンガラス１７３などを有する。自動原稿搬送部は、原稿用紙を載置する載置トレイ１７２や原稿用紙を搬送する機構及び搬送ローラーなどを有し、制御部１１の制御により、原稿用紙を所定の搬送経路に搬送する。スキャナー部１７１は、光源や反射鏡などの光学系、撮像素子を備え、所定の搬送経路を搬送された原稿用紙又はプラテンガラス１７３に載置された原稿用紙の画像を読み取って、Ｒ（赤）、Ｇ（緑）及びＢ（青）の色ごとのビットマップ形式の画像データを生成し、画像処理部１８に出力する。
【００３４】
制御部１１は、通信部１５により受信したＰＤＬデータをラスタライズ処理し、ビットマップ形式の画像データを生成する。また、制御部１１は、通信部１５又は画像読取部１７を介して生成されたビットマップ形式の画像データが、Ｒ（赤）、Ｇ（緑）及びＢ（青）の３色の画素値を有する場合、Ｃ、Ｍ、Ｙ、Ｋの４色の画素値を有する画像データに変換した後、画像メモリー１９により保持する。
【００３５】
画像メモリー１９は、画像処理部１８により生成された画像データを一時的に保持するバッファーメモリーである。画像メモリー１９としては、ＤＲＡＭ（Dynamic RAM）などを用いることができる。
【００３６】
画像処理部１８は、画像メモリー１９から画像データを読み出して、濃度補正処理、中間調処理などの各種画像処理を施す。濃度補正処理は、用紙上の画像の濃度特性が目的の濃度特性となるように、画像データの各画素値を変換する処理である。中間調処理は、ディザ処理や誤差拡散処理などのように、疑似的に中間調を再現する処理である。
【００３７】
画像形成部２０は、画像処理部１８により画像処理した画像データの各画素のＣ、Ｍ、Ｙ、Ｋの４色の画素値に応じて、４色からなる画像を用紙上に形成する。図１に示すように、画像形成部２０は、４つの書込みユニット２１、中間転写ベルト２２、２次転写ローラー２３を備える。
【００３８】
４つの書込みユニット２１は、４つの単色としてのＣ、Ｍ、Ｙ、Ｋの色ごとに、中間転写ベルト２２のベルト面に沿って直列（タンデム）に配置され、Ｃ、Ｍ、Ｙ、Ｋの各色の画像を用紙上に形成する。書込みユニット２１は、露光部２ａ、感光体ドラム２ｂ、現像部２ｃ、帯電部２ｄ、クリーニング部２ｅ、１次転写ローラー２ｆを有する。
【００３９】
感光体ドラム２ｂは、回転する導電性円筒体である。帯電部２ｄは、感光体ドラム２ｂを帯電させる。露光部２ａは、発光素子としてＬＤ（Laser Diode）を有し、制御部１１の制御により、画像データに基づいてＬＤを駆動し、帯電部２ｄにより帯電された感光体ドラム２ｂ上にレーザー光を照射して露光する。現像部２ｃは、制御部１１の制御により、帯電する現像ローラーにより感光体ドラム２ｂ上にトナーを供給し、露光により感光体ドラム２ｂ上に形成された静電潜像を現像する。このようにして、４つの書込みユニット２１の感光体ドラム２ｂ上にそれぞれ形成した画像を、それぞれの１次転写ローラー２ｆにより、中間転写ベルト２２上に順次重ねて転写（１次転写）すると、中間転写ベルト２２上には各色からなるカラーのトナー画像が形成される。１次転写後、クリーニング部２ｅは、感光体ドラム２ｂ上に残留するトナーを除去する。
【００４０】
中間転写ベルト２２は、複数のローラーに掛け渡された無端ベルトであり、制御部１１の制御により、各ローラーの回転に従って回転する。２次転写ローラー２３は、制御部１１の制御により、中間転写ベルト２２上に形成されたトナー画像を、給紙ユニット１００（給紙トレイＴ１）又は給紙部１６（給紙トレイＴ２）から搬送された用紙上に転写（２次転写）する。
【００４１】
図１、図３（ａ）、図３（ｂ）に示すように、光照射部３０は、用紙Ｐに転写されたトナーをレーザー光の照射エネルギーにより加熱して定着させるレーザー定着部として機能するものであり、用紙Ｐを搬送する用紙搬送部３１と、光照射本体部３２と、センサー３３と、を有する。
【００４２】
用紙搬送部３１は、無端ベルト３１ａと、無端ベルト３１ａを回転可能に掛け渡す駆動ロール３１ｂ及び従動ロール３１ｃと、を有する。無端ベルト３１ａは、例えばポリイミドなどの耐熱性のある樹脂で構成されている。駆動ロール３１ｂ及び従動ロール３１ｃは、水平方向に並べて配設されており、これらに掛け渡された無端ベルト３１ａが用紙Ｐを水平方向に搬送する。そして、制御部１１は、用紙搬送部３１の搬送速度と中間転写ベルト２２（２次転写ローラー２３）の転写速度とが等速となるように制御する。
【００４３】
光照射本体部３２は、アレイ状に配列されて各々レーザー光を照射するレーザー光源３２１を有する。光照射本体部３２は、用紙Ｐの表面に転写されたトナー画像に対して、レーザー光源３２１によりレーザー光を照射する。用紙Ｐ上のトナーは、レーザー光の照射エネルギーにより熱が加えられて溶解し、用紙Ｐに定着する。各レーザー光源３２１から照射されるレーザー光の照射エネルギーは、制御部１１の制御により設定される。制御部１１は、光照射本体部３２のレーザー光源３２１の照射時間又は照度［Ｗ／ｃｍ２］の制御により、トナー画像の各画素に照射するレーザー光の照射エネルギーを調整可能である。
【００４４】
センサー３３は、例えば、光学センサーであり、搬送される用紙Ｐの先端Ｐ１が通過するタイミングを検出する。
【００４５】
図２に示すように、用紙搬送部４０は、用紙を搬送するためのレジストローラー、搬送ローラーなどを備え、制御部１１により、給紙ユニット１００の給紙トレイＴ１又は給紙部１６の給紙トレイＴ２に収納された用紙を画像形成部２０に供給し、また光照射部３０による定着後の用紙を後処理装置３００に排出する。また、用紙搬送部４０は、用紙の反転経路となる反転部を有し、両面印刷を行う場合に、制御部１１により、表面の画像が定着された用紙を反転し、再度画像形成部２０に供給する。
【００４６】
図２に示すように、後処理装置３００は、用紙搬送部５０と、後処理部６０と、を備える。用紙搬送部５０は、搬送ローラーなどを有し、制御部１１の制御により、本体ユニット２００から搬送された後処理装置３００へと搬送し、後処理部６０により後処理された用紙を排紙トレイＴ３に搬送する。後処理部６０は、制御部１１の制御により、搬送された用紙に後処理を施す。後処理は、例えばステイプル処理、パンチ穴開け処理、折り処理、製本処理などが挙げられる。
【００４７】
つぎに、図４及び図５を参照して、画像形成装置１における画像を１枚の用紙に形成する動作を説明する。図４は、画像形成処理を示すフローチャートである。図５は、定着処理を示すフローチャートである。
【００４８】
まず、画像形成装置１の制御部１１は、画像形成部２０の各Ｃ、Ｍ、Ｙ、Ｋの書込みユニット２１の感光体ドラム２ｂを回転させながら、帯電部２ｄにより感光体ドラム２ｂの表面を一様に帯電させる（ステップＳ１）。
【００４９】
そして、制御部１１は、画像データに応じたレーザー光を各色の露光部２ａから感光体ドラム２ｂの表面に照射させ、感光体ドラム２ｂの表面において、画像処理部１８からの画像データに応じた位置に静電潜像を形成する（ステップＳ２）。
【００５０】
そして、制御部１１は、感光体ドラム２ｂの表面に形成された静電潜像が、感光体ドラム２ｂの回転に伴って各色の現像部２ｃに対向する位置に到達すると、現像部２ｃから静電潜像にトナーを供給させることで静電潜像を現像し、感光体ドラム２ｂの表面にトナー画像を形成する（ステップＳ３）。ステップＳ１〜Ｓ３は、実際には、各色のトナー画像を中間転写ベルト２２の同じ位置に転写するため、色ごとに実行タイミングがずれている。
【００５１】
そして、制御部１１は、感光体ドラム２ｂの表面に形成された各色のトナー画像を、感光体ドラム２ｂの回転に伴って中間転写ベルト２２に転写し、中間転写ベルト２２の回転に伴って、２次転写ローラー２３により中間転写ベルト２２のトナー画像を用紙に転写する（ステップＳ４）。
【００５２】
そして、制御部１１は、トナー画像が転写された用紙を光照射部３０に搬送させ、レーザー光の照射エネルギーをトナー画像に加えることで用紙に定着させ（ステップＳ５）、画像形成処理を終了する。
【００５３】
ついで、図５を参照して、ステップＳ５の定着処理を説明する。
【００５４】
まず、制御部１１は、画像処理部１８からの画像データの照射パターンに応じて、各画素の積算光量を算出し設定する（ステップＳ１０１）。そして、制御部１１は、搬送される用紙の先端がセンサー３３により検出されたか否かを判定する（ステップＳ１０２）。搬送される用紙の先端が検出されていない場合（ステップＳ１０３：ＮＯ）、搬送される用紙の先端が検出されるまで、ステップＳ１０３の処理が継続される。
【００５５】
搬送される用紙の先端が検出された場合（ステップＳ１０３：ＹＥＳ）、次のステップＳ１０４へと移行される。そして、制御部１１は、光照射部３０を制御して、ステップＳ１０１で設定された積算光量に応じて、レーザー光の照射時間又は照度を制御（調整）して、用紙の画像の各画素にレーザー光を照射させ（ステップＳ１０４）、定着処理を終了する。
【００５６】
ついで、図６〜図１３を参照して、ステップＳ１０１，Ｓ１０３のレーザー光の積算光量の制御方法を説明する。
【００５７】
（第１の制御方法）
図６〜図８を参照して、積算光量の第１の制御方法を説明する。図６は、標的画像の周囲に照射画素が存在しない照射パターンを示す図である。図７は、標的画像の周囲に照射画素が１つ以上存在する照射パターンを示す図である。図８は、標的画像の縦横又は斜め方向に照射画素が存在する照射パターンを示す図である。
【００５８】
ステップＳ１０１において、制御部１１は、画像データに含まれる各画素への照射パターンに基づいて、狙いの画素に対して照射する光の積算光量［Ｊ／ｃｍ２］を設定する。以下、照射パターンの一例として、図６に示す３×３の画素ブロックを用いるものとするが、これに限定するものではなく、例えばより画素数の多い条件のブロックを用いてもよい。
【００５９】
図６において、実線で囲んだ塗りつぶしなしの画素を、照射しない画素とし、実線で囲んだ塗りつぶしありの画素を、照射する画素（照射画素とする（図７））とする。ここでは、簡単のため、照射画素が、その色によらず積算照射量が同じであるものとする。また、点線で囲んだ塗りつぶしなしの画素を、標的とする画素（標的画素とする）とする。これらは、特に断らない限り、以下でも同様である。
【００６０】
標的画素に照射する積算光量の基準値は、図６に示すような、標的画素の周囲にある画素にいずれも照射しない場合において、所定の定着性を確保するために標的画素に設定された積算光量である。より具体的には、例えば未定着トナー画像を照射し定着させる際には、積算光量が０．３３〜４．６６［Ｊ／ｃｍ２］であることが好ましい。この積算光量の値は、画像形成装置１の設計者が実験的又は各種のアルゴリズムを用いたシミュレーションによって事前に特定しておけばよい。
【００６１】
この積算光量の基準値に対して、各照射パターンに応じて、図６中に記載している積算光量制御比率の係数（ここでは１．０）を掛け合わせ、標的画素の積算光量の設定を行う。図６のように、標的画素の周囲に照射画素が存在しない時は、標的画素の周囲に熱を持った画素が存在しなく、標的画素から全方向に熱が逃げてしまい、温度が下がりやすいため、照射パターンの中で最も与える積算光量が大きい条件とする。この条件を基準値に、周囲に熱を持った照射画素が増えるに従って、熱逃げが減るため、標的画素に設定する積算光量を減らしていく設定とする。
【００６２】
例えば、図７のように標的画素の周囲に照射画素が１つ以上存在する場合において、周囲の照射画素数が多いほど、標的画素に照射する積算光量を小さく設定する。より具体的には、積算光量の基準値に対して、図２に記載の各パターンに応じた積算光量制御比率（０．６〜０．９）を掛け合わせた値を、標的画素の積算光量に設定する。
【００６３】
例えば、図８のように、標的画素の周囲にも照射する場合において、周囲の照射画素と標的画素の距離が小さいほど、標的画素に照射する積算光量を小さく設定する。より具体的には、積算光量の基準値に対して図８に記載の各照射パターンに応じた積算光量制御比率（０．９，０．９３）を掛け合わせた値を、標的画素の積算光量に設定する。斜めよりも縦横に隣接する照射画素の方が標的画素に近いため、伝熱が大きくなるので、積算光量を小さく設定している。ステップＳ１０１で設定されたトナー画像の各標的画素の積算光量に応じて、制御部１１は、ステップＳ１０３で光照射部３０により各標的画素にレーザー光を照射制御する。
【００６４】
（第２の制御方法）
図９を参照して、積算光量の第２の制御方法を説明する。図９は、照射順序が異なる照射パターンＰＴ１〜ＰＴ４に対応する積算光量制御比率を示す図である。
【００６５】
第１の制御方法では、標的画素及び照射画素の配置の照射パターンを用いた。本第２の制御方法では、図９に示すように、３×３の画素ブロックの異なる照射順序の照射パターンＰＴ１〜ＰＴ４における積算光量制御比率を用いる。図９の画素ブロックにおいて、レーザー光の照射順序を数字で表し、当該照射順序のラインを矢印で示し、以下の図でも同様である。
【００６６】
照射パターンＰＴ１〜ＰＴ４のように各画素へ順番に光を照射していく場合、各画素に照射する時点で既に照射済みの周囲の画素数が多く、周囲の照射済画素との距離が小さいほど、標的画素に照射する積算光量が小さくなるように各画素の積算光量を設定制御する。より具体的には、積算光量の基準値に対して、図９に記載の各照射パターンＰＴ１〜ＰＴ４に応じた積算光量制御比率（０．６６〜１．０）を掛け合わせた値を、各画素の積算光量に設定する。積算光量制御比率は、後に照射する画素ほど、前に照射した画素からの伝熱影響を受けやすいことを考慮している。
【００６７】
（第３の制御方法）
図１０（ａ）〜図１１（ｂ）を参照して、積算光量の第３の制御方法を説明する。図１０（ａ）は、上流側の照射画素に照射してから標的画素に照射する場合の照射画素が標的画素に隣接している照射パターンを示す図である。図１０（ｂ）は、図１０（ａ）におけるスキャン時間に対する標的画素想定温度及び照度を示す図である。図１１（ａ）は、上流側の照射画素に照射してから標的画素に照射する場合の照射画素が標的画素に隣接していない照射パターンを示す図である。図１１（ｂ）は、図１１（ａ）におけるスキャン時間に対する標的画素想定温度及び照度を示す図である。
【００６８】
図１０（ａ）に示すように、上流側の照射画素に照射してから標的画素にレーザー光を照射する場合に、照射画素が標的画素に隣接している場合の一例の照射パターンを考える。また、図１０（ｂ）に示すように、図１０（ａ）の照射パターンに対応して、レーザー光照射のスキャン時間に対する標的画素想定温度及び照度を考える。図１０（ｂ）において、破線を本制御方法の適用前の特性とし、実線を本制御方法の適用後の特性とし、標的画素想定温度の温度ｔ１〜ｔ２を標的画素の画像定着性の良い適切な温度範囲とし、以下の図でも同様とする。
【００６９】
図１０（ａ）の照射パターンにおいて、照射画素が標的画素に隣接しているため、図１０（ｂ）に示すように、標的画素の積算光量（ここでは照度）を隣接する照射画素の標的画素よりも下げる設定をする。これは、上流側の照射画素からの伝熱を考慮し、照射画素と標的画素との時間間隔に応じて設定している。この設定に応じて、図１０（ｂ）に示すように、標的画素通過時間の標的画素想定温度が、本制御方法を適用する前は標的画素の適切な温度範囲にないが、本制御方法を適用することで、標的画素通過時間の標的画素想定温度を標的画素の適切な温度範囲にすることができる。
【００７０】
また、図１１（ａ）に示すように、上流側の照射画素に照射してから標的画素にレーザー光を照射する場合に、照射画素が標的画素に隣接していない場合の一例の照射パターンを考える。また、図１１（ｂ）に示すように、図１１（ａ）の照射パターンに対応して、レーザー光照射のスキャン時間に対する標的画素想定温度及び照度を考える。
【００７１】
図１１（ａ）の照射パターンにおいて、照射画素が標的画素から１画素分あけて配置されているため、図１１（ｂ）に示すように、標的画素の積算光量（ここでは照度）を隣接する照射画素の標的画素よりも下げる設定をする。この照度の下げ幅は、図１０（ｂ）よりも小さい。これは、上流側の照射画素が標的画素と隣接しておらずとも、少し離れていても伝熱するため、照射画素と標的画素との時間間隔に応じて設定している。この設定に応じて、図１０（ｂ）に示すように、標的画素通過時間の標的画素想定温度が、本制御方法を適用する前は標的画素の適切な温度範囲にないが、本制御方法を適用することで標的画素の適切な温度範囲にすることができる。
【００７２】
このように、標的画素に照射する時点で最後に照射した照射画素と標的画素との照射タイミングの時間間隔が短いほど、標的画素に照射する積算光量が小さくなるように設定する。ステップＳ１０１で設定されたトナー画像の各標的画素の積算光量に応じて、制御部１１は、ステップＳ１０３で光照射部３０により各標的画素にレーザー光を照射制御する。その結果、標的画素の温度上昇が過剰にならず、画像定着性の良い画像が得られる。
【００７３】
（第４の制御方法）
図１２（ａ）〜図１３（ｂ）を参照して、積算光量の第４の制御方法を説明する。図１２（ａ）は、下流側の照射画素の照射を想定して標的画素に照射する場合の照射画素が標的画素に隣接している照射パターンを示す図である。図１２（ｂ）は、図１２（ａ）におけるスキャン時間に対する標的画素想定温度及び照度を示す図である。図１３（ａ）は、下流側の照射画素の照射を想定して標的画素に照射する場合の照射画素が標的画素に隣接していない照射パターンを示す図である。図１３（ｂ）は、図１３（ａ）におけるスキャン時間に対する標的画素想定温度及び照度を示す図である。
【００７４】
図１２（ａ）に示すように、下流側の照射画素の照射を想定して標的画素にレーザー光を照射する場合に、照射画素が標的画素に隣接している場合の一例の照射パターンを考える。また、図１２（ｂ）に示すように、図１２（ａ）の照射パターンに対応して、レーザー光照射のスキャン時間に対する標的画素想定温度及び照度を考える。
【００７５】
図１２（ａ）の照射パターンにおいて、照射済画素が標的画素に隣接しているため、図１２（ｂ）に示すように、標的画素の積算光量（ここでは照度）を隣接する照射画素の標的画素よりも下げる設定をする。これは、下流側の照射画素からの伝熱を考慮し、標的画素と照射画素との時間間隔に応じて設定している。この設定に応じて、図１２（ｂ）に示すように、標的画素通過時間の標的画素想定温度が、本制御方法を適用する前は標的画素の適切な温度範囲にないが、本制御方法を適用することで標的画素の適切な温度範囲にすることができる。
【００７６】
また、図１３（ａ）に示すように、下流側の照射画素の照射を想定して標的画素にレーザー光を照射する場合に、照射画素が標的画素に隣接していない場合の一例の照射パターンを考える。また、図１３（ｂ）に示すように、図１３（ａ）の照射パターンに対応して、レーザー光照射のスキャン時間に対する標的画素想定温度及び照度を考える。
【００７７】
図１３（ａ）の照射パターンにおいて、照射画素が標的画素から１画素分あけて配置されているため、図１３（ｂ）に示すように、標的画素の積算光量（ここでは照度）を隣接する照射画素の標的画素よりも下げる設定をする。この照度の下げ幅は、図１２（ｂ）よりも小さい。これは、下流側の照射画素からの伝熱を考慮し、標的画素と照射画素との時間間隔に応じて設定している。この設定に応じて、図１３（ｂ）に示すように、標的画素通過時間の標的画素想定温度が、本制御方法を適用する前は標的画素の適切な温度範囲にないが、本制御方法を適用することで標的画素の適切な温度範囲にすることができる。
【００７８】
このように、標的画素の次に照射する照射画素と標的画素との照射タイミングの時間間隔が短いほど、標的画素に照射する積算光量が小さくなるように設定する。ステップＳ１０１で設定されたトナー画像の各標的画素の積算光量に応じて、制御部１１は、ステップＳ１０３で光照射部３０により各標的画素にレーザー光を照射制御する。その結果、標的画素の温度上昇が過剰にならず、画像定着性の良い画像が得られる。
【００７９】
（第５の制御方法）
図１４を参照して、積算光量の第５の制御方法を説明する。図１４は、複数の光吸収率に対応する積算光量及び温度を示す図である。
【００８０】
トナー画像に光を照射すると、光を吸収したトナーは熱を持つ。この時、トナーが吸収する光量は、トナー種の光吸収率によって決まる。トナー種とは、トナーの色（Ｃ，Ｍ，Ｙ、Ｋ）、製造元、品種などによる種類である。そこで、制御部１１は、画像処理部１８の画像データなどに基づいてトナー種を読み取り、該トナー種に対応する光吸収率に応じて、図１４に示した積算光量プロファイルのように、各画素に照射する光の積算光量を設定する。
【００８１】
図１４に示すように、三段階の光吸収率［％］において、光吸収率が低いほど積算光量を高くすることで、レーザー光を照射した画素の温度を一定にできる。このため、トナー種に対応する光吸収率に応じて、各画素に照射する光の積算光量を適切な温度範囲の一定な温度となるように設定する。ステップＳ１０１で設定されたトナー画像の各標的画素の積算光量に応じて、制御部１１は、ステップＳ１０３で光照射部３０により各標的画素にレーザー光を照射制御する。なお、トナー種に対応する光吸収率の値は、画像形成装置１の設計者が実験により事前に特定し、記憶部１２に記憶しておけばよい。
【００８２】
以上、本実施の形態によれば、光照射装置３は、用紙に形成された画像の各画素にレーザー光を照射する光照射部３０と、画像の照射パターンに応じて、画像の各画素に照射する光の吸収光量に対応する照射情報を設定し、設定された照射情報に応じて、光照射部３０を制御して用紙の画像の各画素にレーザー光を照射させる制御部１１と、を備える。照射情報は、光の積算光量である。制御部１１は、設定された積算光量に応じて、光照射部３０の照射時間又は照度を制御して用紙の画像の各画素にレーザー光を照射させる。画像形成装置１は、光照射装置３と、用紙に画像を形成する画像形成部２０と、を備える。
【００８３】
このため、画像の照射パターンに基づく積算光量を適切に設定でき、積算光量に応じて、レーザー光を用紙の画像に適切に照射でき、用紙の画像の発色不良の発生を防ぐことができる。
【００８４】
また、制御部１１は、第１の制御方法により、照射パターンの標的画素の周囲に存在する照射画素の数が多いほど標的画素の吸収光量を小さくするように積算光量を設定する。このため、標的画素の温度上昇が過剰になることを防ぐことができ、画像定着性の良い画像を得ることができる。
【００８５】
また、制御部１１は、第１の制御方法により、照射パターンの照射画素と標的画素との間の距離が小さいほど標的画素の吸収光量を小さくするように積算光量を設定する。このため、標的画素の温度上昇が過剰になることを防ぐことができ、画像定着性の良い画像を得ることができる。
【００８６】
また、制御部１１は、第２の制御方法により、照射パターンの各標的画素に照射する順序に応じて標的画素の積算光量を設定する。このため、標的画素の温度上昇が過剰になることを防ぐことができ、画像定着性の良い画像を得ることができる。
【００８７】
また、制御部１１は、第３、第４の制御方法により、照射パターンの照射画素と標的画素との照射タイミングに応じて標的画素の積算光量を設定する。このため、照射画素と標的画素との照射タイミングの時間間隔が小さいほど標的画素の積算光量を小さくするように設定でき、標的画素の温度上昇が過剰になることを防ぐことができ、画像定着性の良い画像を得ることができる。
【００８８】
また、制御部１１は、第５の制御方法により、画像のトナー種の光吸収率に応じて、照射パターンの標的画素の光吸収率が大きいほど吸収光量を小さくするように積算光量を設定する。このため、標的画素の温度上昇が過剰になることを防ぐことができ、画像定着性の良い画像を得ることができる。
【００８９】
（第１の変形例）
図１５〜図１６（ｂ）を参照して、上記実施の形態の第１の変形例を説明する。図１５は、トナーに照射される光の波長に対するトナーが吸収する光量を示す図である。図１６（ａ）は、上流側の照射画素に照射してから標的画素に照射する場合の照射画素が標的画素に隣接している照射パターンを示す図である。図１６（ｂ）は、図１６（ａ）におけるスキャン時間に対する標的画素想定温度及び吸収する光量を示す図である。
【００９０】
本変形例の装置構成は、上記実施の形態と同様に画像形成装置１を用いる。ただし、光照射部３０の光照射本体部３２のレーザー光源３２１が、波長の異なる光源を複数有し、制御部１１の制御により、トナー画像の同じ画素に異なる波長のレーザー光を照射可能な構成とする。
【００９１】
本変形例における画像形成装置１の動作としての画像形成処理も上記実施の形態と同様であるが、定着処理のステップＳ１０１において、制御部１１は、レーザー光の積算光量に代えて波長を設定し、ステップＳ１０３において、制御部１１は、レーザー光の波長に応じて光照射部３０の波長を変えてレーザー光の照射を制御する。
【００９２】
トナーの光吸収率は、照射される光の波長によって変化する。図１５に示すように、トナーに照射される光の波長に対するトナーが吸収する光量は、ピークとなる所定の波長（例えばトナーの最大吸収波長とする）を有し、ピークを外れるにつれてトナーが吸収する光量が低減する。そこで、上記実施の形態で提示した照射パターンに応じた積算光量の制御を、図１５のように積算光量ではなく照射光の波長を制御することによって、トナーが吸収する光量を変える。
【００９３】
また、図１６（ａ）に示すように、上流側の照射画素に照射してから標的画素にレーザー光を照射する場合に、照射画素が標的画素に隣接している場合の一例の照射パターンを考える。また、図１６（ｂ）に示すように、図１６（ａ）の照射パターンに対応して、レーザー光照射のスキャン時間に対する標的画素想定温度及びトナーが吸収する光量を考える。
【００９４】
図１６（ａ）の照射パターンにおいて、照射画素が標的画素に隣接しているため、図１６（ｂ）に示すように、例えば、標的画素の波長を隣接する照射画素の波長からずらす設定をする。例えば、照射画素に照射するレーザー光の波長をトナーの最大吸収波長とし、照射画素と標的画素との吸収する光量の差を、照射画素と標的画素との照射タイミングの時間間隔に反比例させる。このような吸収する光量の差に対応する波長が、標的画素に設定される。この設定に応じて、図１６（ｂ）に示すように、標的画素通過時間の標的画素想定温度が、本制御方法を適用する前は標的画素の適切な温度範囲にないが、本制御方法を適用することで、標的画素通過時間の標的画素想定温度を標的画素の適切な温度範囲にすることができる。
【００９５】
このように、標的画素に照射する時点で最後に照射した照射画素と標的画素との照射タイミングの時間間隔が短いほど、照射画素の最大吸収波長と標的画素に照射する光の波長との差を大きくし、標的画素が吸収する光量が小さくなるように標的画素に照射する吸収光量が小さくなるように波長を設定する。ステップＳ１０１で設定されたトナー画像の各標的画素の波長に応じて、制御部１１は、ステップＳ１０３で光照射部３０により各標的画素にレーザー光を照射制御する。その結果、標的画素の温度上昇が過剰にならず、画像定着性の良い画像が得られる。
【００９６】
なお、照射光の波長に対するトナーの吸収光量は、画像形成装置１の設計者が実験により事前に特定しておけばよい。また、適切な波長をもったレーザー光源３２１から照射することで、レーザー光源３２１の照度制御に比べて制御方式が簡単になる。
【００９７】
以上、本変形例によれば、光照射部３０は、異なる波長の光を照射可能である。制御部１１は、設定された照射情報としての波長に応じて、光照射部３０の波長を制御して用紙の画像の各画素に光を照射させる。このため、標的画素の温度上昇が過剰になることを防ぐことができ、画像定着性の良い画像を得ることができるとともに、光照射部３０の制御を簡単にすることができる。
【００９８】
（第２の変形例）
図１７を参照して、上記実施の形態の第２の変形例を説明する。図１７は、本変形例の画像形成装置１Ａの概略構成を示す図である。
【００９９】
上記実施の形態では、画像形成装置１を用いて、画像形成した用紙上のトナー画像にレーザー光を照射して定着する構成であったが、本変形例では、図１７に示す画像形成装置１Ａを用いて、定着後の用紙上のトナー画像にレーザー光を照射して所定の光沢にする構成である。
【０１００】
図１７に示すように、画像形成装置１Ａは、給紙ユニット１００、本体ユニット２００Ａ及び後処理装置３００Ａを備える。画像形成装置１Ａにおいて、画像形成装置１と同様の構成部分には、同じ符号を付して、その説明を省略する。
【０１０１】
本体ユニット２００Ａは、図１及び図２に示す上記実施の形態の本体ユニット２００において、光照射部３０を定着部３０Ａに代えた構成とする。定着部３０Ａは、加熱ローラー、加圧ローラーなどを有し、制御部１１の制御に従い、画像形成部２０によりトナー画像が形成された用紙を加熱及び加圧し、用紙にトナー画像を定着する。
【０１０２】
後処理装置３００Ａは、図１及び図２に示す上記実施の形態の後処理装置３００において、後処理部６０を光照射部６０Ａに代えた構成とする。光照射部６０Ａは、用紙搬送部６１と、光照射本体部６２と、センサー６３と、を有する。用紙搬送部６１は、無端ベルト６１ａと、駆動ロール６１ｂと、従動ロール６１ｃと、を有する。用紙搬送部６１、光照射本体部６２、レーザー光源６２１、センサー６３、無端ベルト６１ａ、駆動ロール６１ｂ、従動ロール６１ｃは、上記実施の形態の用紙搬送部３１、光照射本体部３２、レーザー光源３２１、センサー３３、無端ベルト３１ａ、駆動ロール３１ｂ、従動ロール３１ｃと同様の構成である。
【０１０３】
上記実施の形態において、未定着トナー画像を照射し定着させるレーザー光の照射エネルギーは、０．３３〜４．６６［Ｊ／ｃｍ２］が好ましかった。本変形例において、定着したトナー画像に照射し所定の光沢を得る際には、レーザー光の照射エネルギーは、０．１〜２．０［Ｊ／ｃｍ２］が好ましい。この好ましい照射エネルギーにより、適切な光沢にするための適切な温度範囲が設定される。用紙上の定着後の画像の各標的画素が適切な温度範囲に入るように、制御部１１は、光照射部６０Ａの積算光量又は波長を設定し、設定した積算光量又は波長に応じて、定着部３０Ａで定着され後処理装置３００Ａに搬送された用紙の画像にレーザー光を照射制御し、画像に所定の光沢を出し、排紙トレイＴ３に排紙する。その結果、標的画素の温度上昇が過剰にならず、所望の光沢の画像が得られる。
【０１０４】
なお、光照射部６０Ａを後処理装置３００Ａ内に配置する構成としたが、これに限定されるものではない。例えば、光照射部６０Ａを本体ユニット２００Ａ内でかつ定着部３０Ａの後段（下流）に配置する構成としてもよい。
【０１０５】
以上、本変形例によれば、制御部１１は、用紙に定着された前記画像を所定の光沢にするための照射情報としての積算光量又は波長に応じて、光照射部３０を制御して用紙の画像の各画素に光を照射させて画像を所定の光沢にする。このため、用紙の画像を所望の光沢にすることができる。
【０１０６】
なお、上記実施の形態及び変形例における記述は、本発明に係る好適な画像形成装置の一例であり、これに限定されるものではない。
【０１０７】
例えば、上記実施の形態の第１〜第５の制御方法と、第１の変形例と、第２の変形例と、の少なくとも２つの構成を適宜組み合わせる構成としてもよい。
【０１０８】
また、上記実施の形態及び変形例において、画像形成部２０で使用するトナーをＣ，Ｍ，Ｙ，Ｋの４色とし、カラーの画像形成を行う構成としたが、これに限定されるものではない。例えば、画像形成部２０で使用するトナーは、白など、Ｃ，Ｍ，Ｙ，Ｋ以外の色としてもよい。
【０１０９】
また、上記実施の形態及び変形例において、光照射部３０，６０Ａをライン型の光照射部としたが、これに限定されるものではない。光照射部３０，６０Ａを、レーザー光の照射位置を用紙上で一次元的又は２次元的に走査可能なスキャン型の光照射部とする構成としてもよい。
【０１１０】
また、上記実施の形態及び変形例では、光照射部３０，６０Ａが用紙の画像にレーザー光を照射する構成を説明したが、これに限定されるものではない。例えば、光照射部が、本実施の形態の構成を、例えば、用紙の画像にフラッシュ光などの光を照射する構成としてもよい。
【０１１１】
また、上記実施の形態及び変形例では、電子写真方式の画像形成を行う画像形成装置において、用紙のトナー画像にレーザー光を照射する構成を説明したが、これに限定されるものではない。本実施の形態の構成を、例えば、用紙としての感熱紙に画像形成を行う画像形成装置に適用して、感熱紙の画像にレーザー光を照射する構成としてもよい。
【０１１２】
また、以上の実施の形態における画像形成装置１，１Ａを構成する各部の細部構成及び細部動作に関して本発明の趣旨を逸脱することのない範囲で適宜変更可能である。
【符号の説明】
【０１１３】
１，１Ａ  画像形成装置
Ｔ１，Ｔ２  給紙トレイ
２００，２００Ａ  本体ユニット
３  光照射装置
１１  制御部
１２  記憶部
１３  操作部
１４  表示部
１５  通信部
１６  給紙部
１７  画像読取部
１７１  スキャナー部
１７２  載置トレイ
１７３  プラテンガラス
１８  画像処理部
１９  画像メモリー
２０  画像形成部
２１  書込みユニット
２ａ  露光部
２ｂ  感光体ドラム
２ｃ  現像部
２ｄ  帯電部
２ｅ  クリーニング部
２ｆ  １次転写ローラー
２２  中間転写ベルト
２３  ２次転写ローラー
３０，６０Ａ  光照射部
３１，６１  用紙搬送部
３１ａ，６１ａ  無端ベルト
３１ｂ，６１ｂ  駆動ロール
３１ｃ，６１ｃ  従動ロール
３２，６２  光照射本体部
３２１，６２１  レーザー光源
３３，６３  センサー
３０Ａ  定着部
４０  用紙搬送部
３００，３００Ａ  後処理装置
５０  用紙搬送部
６０  後処理部
Ｔ３  排紙トレイ
【図１】
2020170100.tif 000003
【図２】
2020170100.tif 000004
【図３】
2020170100.tif 000005
【図４】
2020170100.tif 000006
【図５】
2020170100.tif 000007
【図６】
2020170100.tif 000008
【図７】
2020170100.tif 000009
【図８】
2020170100.tif 000010
【図９】
2020170100.tif 000011
【図１０】
2020170100.tif 000012
【図１１】
2020170100.tif 000013
【図１２】
2020170100.tif 000014
【図１３】
2020170100.tif 000015
【図１４】
2020170100.tif 000016
【図１５】
2020170100.tif 000017
【図１６】
2020170100.tif 000018
【図１７】
2020170100.tif 000019